(57)【要約】【課題】電力系統監視制御装置および遠方監視制御装置で使用されるソフトウェアを一元的に管理することによって、電力系統監視制御装置によって遠方監視制御装置のソフトウェアをメンテナンスする。【解決手段】電力系統監視制御装置２は、遠方監視制御装置６にソースファイル、展開要求および送信要求とを送信し、かつ遠方監視制御装置６から受信したデータベースのメンテナンス、当該データベースからのソース生成および当該ソースの管理を行うメンテナンス機能部２０２を備え、遠方監視制御装置６は、メンテナンス機能部２０２との間でメンテナンス情報の授受を行うメンテナンス送受信機能部６０２と、メンテナンス機能部からの展開要求に従いソースファイルからデータベースを生成するデータベース展開機能部６０６と、メンテナンス機能部２０１からのデータベース送信要求に従いデータベース展開機能部６０６で生成されたデータベースの内容を読込み、メンテナンス機能部２０１へ送信するデータベース読込み機能部６０７と、を備えた。【選択図】図２
2007166823.tif 000002
【特許請求の範囲】
【請求項１】
電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、
前記電力系統監視制御装置は、前記遠方監視制御装置にソースファイル、展開要求および送信要求を送信するとともに、当該遠方監視制御装置からデータベースを受信し、当該受信したデータベースのメンテナンス、当該データベースからソースの生成および当該ソースの管理を行うメンテナンス機能部を備え、
前記遠方監視制御装置は、前記メンテナンス機能部との間でメンテナンス情報の授受を行うメンテナンス送受信機能部と、前記メンテナンス機能部からの展開要求に従い受信したソースファイルからデータベースを生成するデータベース展開機能部と、前記メンテナンス機能部からのデータベース送信要求に従い前記データベース展開機能部で生成されたデータベースの内容を読込み、前記メンテナンス機能部へ送信するデータベース読込み機能部とを備えたことを特徴とする電力系統監視制御システム。
【請求項２】
電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、
前記電力系統監視制御装置は、前記遠方監視制御装置にソースファイル、展開要求および送信要求を送信するとともに、当該遠方監視制御装置からソフトウェアを受信し、当該受信したソフトウェアのメンテナンス、当該ソフトウェアからソースの生成および当該ソースの管理を行うメンテナンス機能部を備え、
前記遠方監視制御装置は、前記メンテナンス機能部との間でメンテナンス情報の授受を行うメンテナンス送受信機能部と、前記メンテナンス機能部からの展開要求に従い受信したソースファイルからソフトウェアを生成するソフトウェア展開機能部と、当該ソフトウェア展開機能部で生成したソフトウェアの内容を読込むソフト読込み機能部を備えたことを特徴とする電力系統監視制御システム。
【請求項３】
電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、
前記電力系統監視制御装置は、前記遠方監視制御装置に動作履歴データ取り出し要求を送信するとともに、当該遠方監視制御装置から受信した動作履歴データを参照する動作履歴参照機能部を備え、
前記遠方監視制御装置は、前記電力系統監視制御装置との間で動作履歴データの授受を行う動作状況履歴データ送受信機能部と、前記遠方監視制御装置自体の動作履歴を保存する動作履歴保存機能部と、前記動作履歴参照機能部からの動作履歴データ取り出し要求に従い前記動作履歴保存機能部に保存されている動作履歴データを取り出して前記動作状況履歴データ送受信機能部に送る動作履歴取り出し機能部とを備えたことを特徴とする電力系統監視制御システム。
【請求項４】
電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、
前記遠方監視制御装置は、前記電力系統監視制御装置との間で系統制御手順や自動制御に必要な設定値などの設定情報を受信する制御情報受信機能部と、受信した設定情報を保存するテレコン制御機能部と、当該テレコン制御機能部で保存された設定情報の通知を受け、当該設定情報を基に系統設備の自動制御を行う自動制御機能部を備え、
前記電力系統監視制御装置は、前記遠方監視制御装置の自動制御機能部への実行要求や設定値の設定を行う自動制御設定機能部を備えたことを特徴とする電力系統監視制御システム。
【請求項５】
電力系統監視制御装置および遠方監視制御装置間を広域ネットワークによって接続し、この広域ネットワークを介して電力系統監視制御装置と遠方監視制御装置との間で情報通信を行う電力系統監視制御方法において、
前記電力系統監視制御装置は、前記遠方監視制御装置にソースファイル、展開要求および送信要求とを送信するとともに、当該遠方監視制御装置からデータベースを受信し、当該受信したデータベースのメンテナンス、当該データベースからのソースの生成および当該ソースの管理を行い、
前記遠方監視制御装置は、前記展開要求に従い受信したソースファイルからデータベースを生成し、当該生成されたデータベースを前記データベース送信要求に従って読込み、前記電力系統監視制御装置へ送信することを特徴とする電力系統監視制御方法。
【発明の詳細な説明】
【技術分野】
【０００１】
本発明は、広域ネットワークを介して電力系統監視制御装置と遠方監視制御装置との間で情報通信を行うように構成された電力系統監視制御システムに係り、特に、電力系統監視制御装置から遠方監視制御装置のソフトウェアを一元管理することの可能な電力系統監視制御システムおよびその方法に関する。
【背景技術】
【０００２】
従来の電力系統監視制御システムは、電力系統監視制御装置および遠方監視制御装置間を専用回線によって接続し、この専用回線を介して電力系統監視制御装置からの制御要求を遠方監視制御装置に送信するとともに、遠方監視制御装置で作成された系統データを専用回線を介して電力系統監視制御装置に送信するように構成されていた。
【０００３】
そして、９０年代中頃からインターネットの急速な普及に伴い、電力系統監視制御システムにおいても、近年になってインターネット通信プロトコル（ＴＣＰ／ＩＰ）を採用した電力系統監視制御装置や遠方監視制御装置が開発されるようになり、インターネットに接続さえすれば、どの電力系統監視制御装置からでも遠方監視制御装置にアクセスして系統データを取得し、系統設備の監視制御が可能になってきた（例えば、特許文献１参照）。
【特許文献１】特開2002-238158号公報
【発明の開示】
【発明が解決しようとする課題】
【０００４】
ところで、電力系統の大規模化、系統運用の高度化および複雑化に伴い、電力系統監視制御装置の重要性は益々増大している。従って、万一、電力系統監視制御装置に異常が発生し、その一部が機能喪失したとしても、電力系統に対する監視不能あるいは制御不能な状態に陥らないように対策を講じる必要がある。これに関して、特許文献１に代表される従来システムでは電力系統監視制御装置を多重化する等の回避策とっている。
【０００５】
しかしながら、上記特許文献１に記載の従来システムにあっては、電力系統監視制御装置と遠方監視制御装置とを別々にメンテナンスするように構成されており、このため設備投資費用および保守管理費を含む運用費等が嵩むという欠点があった。
【０００６】
近年の経済動向や電力事業を取り巻く環境の変化等から設備投資費用、運用費等を圧縮することが重要な課題となっている折り、電力系統監視制御装置と遠方監視制御装置とをそれぞれ別々にメンテナンスするというやり方に対しては、改善が求められている。
【０００７】
本発明は上記の課題を解決するためになされたもので、電力系統監視制御装置から遠方監視制御装置で使用されるソフトウェアを一元的に管理し、電力系統監視制御装置によって遠方監視制御装置のソフトウェアをメンテナンスできるようにした電力系統監視制御システムおよびその方法を提供することを目的とするものである。
【課題を解決するための手段】
【０００８】
上記の目的を達成するために、請求項１に係る発明は、電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、前記電力系統監視制御装置は、前記遠方監視制御装置にソースファイル、展開要求および送信要求を送信するとともに、当該遠方監視制御装置からデータベースを受信し、当該受信したデータベースのメンテナンス、当該データベースからソースの生成および当該ソースの管理を行うメンテナンス機能部を備え、前記遠方監視制御装置は、前記メンテナンス機能部との間でメンテナンス情報の授受を行うメンテナンス送受信機能部と、前記メンテナンス機能部からの展開要求に従い受信したソースファイルからデータベースを生成するデータベース展開機能部と、前記メンテナンス機能部からのデータベース送信要求に従い前記データベース展開機能部で生成されたデータベースの内容を読込み、前記メンテナンス機能部へ送信するデータベース読込み機能部とを備えたことを特徴とする。
【０００９】
また、請求項２に係る発明は、電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、前記電力系統監視制御装置は、前記遠方監視制御装置にソースファイル、展開要求および送信要求を送信するとともに、当該遠方監視制御装置からソフトウェアを受信し、当該受信したソフトウェアのメンテナンス、当該ソフトウェアからソースの生成および当該ソースの管理を行うメンテナンス機能部を備え、前記遠方監視制御装置は、前記メンテナンス機能部との間でメンテナンス情報の授受を行うメンテナンス送受信機能部と、前記メンテナンス機能部からの展開要求に従い受信したソースファイルからソフトウェアを生成するソフトウェア展開機能部と、当該ソフトウェア展開機能部で生成したソフトウェアの内容を読込むソフト読込み機能部を備えたことを特徴とする。
【００１０】
また、請求項３に係る発明は、電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、前記電力系統監視制御装置は、前記遠方監視制御装置に動作履歴データ取り出し要求を送信するとともに、当該遠方監視制御装置から受信した動作履歴データを参照する動作履歴参照機能部を備え、前記遠方監視制御装置は、前記電力系統監視制御装置との間で動作履歴データの授受を行う動作状況履歴データ送受信機能部と、前記遠方監視制御装置自体の動作履歴を保存する動作履歴保存機能部と、前記動作履歴参照機能部からの動作履歴データ取り出し要求に従い前記動作履歴保存機能部に保存されている動作履歴データを取り出して前記動作状況履歴データ送受信機能部に送る動作履歴取り出し機能部とを備えたことを特徴とする。
【００１１】
さらに、請求項４に係る発明は、電力系統監視制御装置および遠方監視制御装置間を広域ネットワークによって接続し、この広域ネットワークを介して電力系統監視制御装置と遠方監視制御装置との間で情報通信を行うように構成された電力系統監視制御システムにおいて、前記遠方監視制御装置は、前記電力系統監視制御装置との間で系統制御手順や自動制御に必要な設定値などの設定情報を受信する制御情報受信機能部と、受信した設定情報を保存するテレコン制御機能部と、当該テレコン制御機能部で保存された設定情報の通知を受け、当該設定情報を基に系統設備の自動制御を行う自動制御機能部を備え、前記電力系統監視制御装置は、前記遠方監視制御装置の自動制御機能部への実行要求や設定値の設定を行う自動制御設定機能部を備えたことを特徴とする。
【００１２】
さらにまた、請求項５に係る発明は、電力系統監視制御装置および遠方監視制御装置間を広域ネットワークによって接続し、この広域ネットワークを介して電力系統監視制御装置と遠方監視制御装置との間で情報通信を行う電力系統監視制御方法において、前記電力系統監視制御装置は、前記遠方監視制御装置にソースファイル、展開要求および送信要求とを送信するとともに、当該遠方監視制御装置からデータベースを受信し、当該受信したデータベースのメンテナンス、当該データベースからのソースの生成および当該ソースの管理を行い、前記遠方監視制御装置は、前記展開要求に従い受信したソースファイルからデータベースを生成し、当該生成されたデータベースを前記データベース送信要求に従って読込み、前記電力系統監視制御装置へ送信することを特徴とする。
【発明の効果】
【００１３】
本発明によれば、電力系統監視制御装置から遠方監視制御装置のデータベースとソフトウェアのメンテナンスを行うことが可能となり、電力系統監視制御装置と遠方監視制御装置のソースを電力系統監視制御装置にて一元管理することができる。また、遠方監視制御装置のある場所まで直接赴かなくても、電力系統監視制御装置から遠方監視制御装置の動作履歴を参照することができる。
【発明を実施するための最良の形態】
【００１４】
以下、本発明に係る電力系統監視制御システムの実施の形態について、図面を参照して説明する。  
図１および図２を参照して本発明の実施形態について説明する。図１は電力系統監視制御システム全体の概略構成図である。
【００１５】
（構成）
まず、図１において、１−１および１−２は制御所であり、それぞれ監視制御サーバ計算機として機能する電力系統監視制御装置２−１、２−２および監視制御クライアント計算機として機能する専用端末装置３−１、３−２を備えている。電力系統監視制御装置２−１、２−２はそれぞれ専用端末装置３−１、３−２からの要求によって後述する遠方監視制御装置に要求を出力したり、逆に遠方監視制御装置から入力した系統データを処理して、専用端末装置３−１、３−２の出力装置に出力する機能を備えている。
【００１６】
また、電力系統監視制御装置２−１および２−２は、インターネット通信プロトコル（ＴＣＰ／ＩＰ）を採用した送受信部２１−１および２１−２を備えており、この送受信部２１−１および２１−２によりインターネット（広域ネットワーク；ＷＡＮ）４に接続され、さらにこの広域ネットワーク４を介して発電所や変電所等の電気所５−１、５−２、・・・５−ｎの管轄内に設置された遠方監視制御装置６−１、６−２、・・・６−ｎと接続されている。
【００１７】
遠方監視制御装置６−１、６−２、・・・６−ｎも、インターネット通信プロトコル（ＴＣＰ／ＩＰ）を採用した送受信部６１−１、６１−２、・・・６１−ｎを備えており、この送受信部６１−１、６１−２、・・・６１−ｎにより前記広域ネットワーク４に接続されている。そして、遠方監視制御装置６−１、６−２、・・・６−ｎは、電気所５−１、５−２、・・・５−ｎ管轄内の電力系統を構成する設備例えば、発電機、遮断器あるいは断路器等の系統設備７−１、７−２、・・・７−ｎを制御し、かつ系統設備７−１、７−２、・・・７−ｎから制御結果としての状態情報を入力して系統データを作成し、前記送受信部６１−１、６１−２、・・・６１−ｎから広域ネットワーク４に送信する機能を有している。
【００１８】
一方、前記電力系統監視制御装置２−１および２−２は、遠方監視制御装置６−１、６−２、・・・６−ｎに対して系統設備７−１、７−２、・・・７−ｎの監視・制御要求あるいは遠方監視制御装置６−１、６−２、・・・６−ｎのメンテナンスを行うための要求等を出力することにより、系統設備７−１、７−２、・・・７−ｎの状態情報に基づく系統データを収集し、この系統データをデータ処理してその処理結果をファイルしたり、図示しない系統監視盤に表示したり、専用端末装置３−１、３−２に設けられている図示しない出力装置例えば、ＣＲＴや液晶パネルで表示するように構成されている。
【００１９】
図２は本実施形態の特徴部分を詳細に示す構成図である。この図２は、複雑化を避けるために、電力系統監視制御装置２−１と遠方監視制御装置６−１とを広域ネットワーク４を介して１：１に接続している。
【００２０】
図２において、電力系統監視制御装置２−１は、専用端末装置３−１から設定される各種モード要求を切替えるモード切替機能部２０１、メンテナンスモード要求時機能するメンテナンス機能部２０２、動作履歴参照モード要求時機能する動作履歴参照機能部２０３、自動制御設定モード要求時機能する自動制御設定機能部２０４および運転員が手動で系統設備に制御要求を行う制御要求モード時機能する制御要求機能部２０５を備えている。
【００２１】
なお、メンテナンス機能部２０２にはソースファイル２０６を接続している。このソースファイル２０６には、図３で示す電力系統監視制御装置のソースファイルの構成図で示すように、各系統設備の表示ポジション、制御ポジション等を定義したテキスト（図３ａ）や、各系統設備の履歴を参照する際に必要な履歴データ取り出し機能プログラムや遠方監視制御機能プログラムソース等のプログラム（図３ｂ）がファイルされている。
【００２２】
一方、遠方監視制御装置６−１には、電力系統監視制御装置２−１から出力されるモード切替要求、各種モード要求（メンテナンスモード要求、動作履歴参照モード要求、自動制御設定モード要求および制御要求モード要求）に対応して、それぞれモード選択機能部６０１、メンテナンス送受信機能部６０２、履歴データ送受信機能部６０３、制御情報受信機能部６０４および制御機能部６０５を設けている。前述のモード選択機能部６０１は、電力系統監視制御装置２−１から出力されるモード要求の種別を検出し、遠方監視制御装置６−１がモード要求に対応して動作するようにメンテナンス送受信機能部６０２、履歴データ送受信機能部６０３、制御情報受信機能部６０４あるいは制御機能部６０５のうちいずれか一つを選択するように機能する。
【００２３】
そして、メンテナンス送受信機能部６０２には、データベース展開機能部６０６およびデータベース読込み機能部６０７を介してデータベース６０８が接続され、同様に、ソフトウェア展開機能部６０９およびソフト読込み機能部６１０を介してソフトウェアファイル６１１が接続されている。履歴データ送受信機能部６０３には、履歴データ取り出し機能部６１２、履歴データファイル６１３および動作履歴保存機能部６１４が順に接続されている。そして、制御情報受信機能部６０４には、テレコン制御機能部６１５、設定データファイル６１６、自動制御機能部６１７および出力機能部６１８を順に通してテレコン入出力機能部６１９が接続され、専用線６２０を介して系統設備７に接続するようになっている。さらに、制御要求機能部６０５は、前述の出力機能部６１８に接続されている。なお、本明細書中で使用したテレコンという用語は、テレ・コントロールすなわち遠方制御の意味である。
【００２４】
（作用）
以上のように構成された電力系統監視制御システムの作用について、各モードに分けて説明する。
【００２５】
（ｉ）遠方監視制御装置６−１をメンテナンスするモード。  
このモードの場合は、専用端末装置３−１からメンテナンスモード要求を電力系統監視制御装置２−１に入力する。すると、電力系統監視制御装置２−１は、モード切替機能部２０１から広域ネットワーク４を通して遠方監視制御装置６−１にメンテナンスモード要求を送信し、併せてメンテナンス機能部２０２から広域ネットワーク４を通して当該遠方監視制御装置６−１に対するメンテナンス要求とを送信する。
【００２６】
遠方監視制御装置６−１では、まず、モード選択機能部６０１によってモード要求の種別を検出してメンテナンス送受信機能部６０２を選択し、次に、このメンテナンス送受信機能部６０２にソースファイル２０６と展開要求とを送信する。
【００２７】
すると、メンテナンス送受信機能部６０２は、受信したソースファイル２０６および展開要求を、データベース展開機能部６０６およびソフトウェア展開機能部６０９へそれぞれ通知する。データベース展開機能部６０６は、受信した展開要求に従って図３（ａ）で示すソースファイル２０６のテキストに基づいて、図４（ａ）に示す表示ポジション情報１、表示ポジション情報２、制御ポジション情報１、制御ポジション情報２、・・・からなる遠方監視制御装置のデータベース６０８を生成する。一方、ソフトウェア展開機能部６０９は、受信した展開要求に従って図３（ｂ）で示すソースファイル２０６のプログラムに基づいて、図４（ｂ）に示す履歴データ取り出し機能プログラムコード、テレコン制御機能プログラムコード、・・・からなる遠方監視制御装置のソフトウェア６１１を生成しファイルする。
【００２８】
その後、専用端末装置３−１から電力系統監視制御装置２−１に対して遠方監視制御装置６−１側で生成したデータベース６０８およびソウトウェア６１１の送信要求を行うと、この送信要求はメンテナンス機能部２０２から広域ネットワーク４を介して遠方監視制御装置６−１に送信される。遠方監視制御装置６−１では、メンテナンス送受信機能部６０２から、データベース読込み機能部６０７へデータベース６０８の送信要求が行われ、また、ソフト読込み機能部６１０へソフトウェア６１１の送信要求が行われる。
【００２９】
データベース読込み機能部６０７は、データベース６０８の情報を生成し、ソフト読込み機能部６１０は、ソフトウェア６１１の情報を生成する。これらの生成された情報は、メンテナンス送受信機能部６０２を介して広域ネットワーク４に送出され、広域ネットワーク４を介して電力系統監視制御装置２−１のメンテナンス機能部２０１へ送信される。メンテナンス機能部２０１では、受信したデータベース６０８およびソフトウェア６１１の情報から実際の系統設備のソースファイル２０６を生成し、管理する。そして、図示しない系統監視盤に表示したり、専用端末装置３−１、３−２に設けられている図示しない出力装置例えば、ＣＲＴや液晶パネルで表示する。
【００３０】
このようにして、電力系統監視制御装置２−１のメンテナンス機能部２０１は、遠方監視制御装置６−１のメンテナンス送受信機能部６０２を介して、遠方監視制御装置６−１のデータベース６０８およびソフトウェア６１１の生成を行わせることができ、しかもこの生成したデータベース６０８およびソフトウェア６１１の読込みを行い、管理することができる。
【００３１】
（ii）遠方監視制御装置６−１の動作履歴を読み出すモード。  
このモードの場合は、専用端末装置３−１から遠方監視制御装置６−１の動作履歴データ要求を電力系統監視制御装置２−１に入力する。すると、電力系統監視制御装置２−１は、動作履歴参照機能部２０２から広域ネットワーク４を通して遠方監視制御装置６−１に動作履歴モード要求と、履歴データ要求を送信する。すると、遠方監視制御装置６−１では、まず、モード選択機能部６０１によってモード要求の種別を検出して履歴データ送受信機能部６０３を選択し、次に、履歴データ送受信機能部６０３に履歴データ読み出し要求する。
【００３２】
すると、履歴データ送受信機能部６０３は、履歴データ取り出し機能部６１２に対して動作履歴保存機能部６１４にて保存されている履歴データ６１３の取り出しを要求する。この結果、履歴データ取り出し機能部６１２は履歴データ６１３を読出す。履歴データ取り出し機能部６１２は、読み出した情報を履歴データ送受信機能部６０３に送る。すると、履歴データ送受信機能部６０３は、広域ネットワーク４を介して電力系統監視制御装置２−１の動作履歴参照機能部２０２へ送信する。電力系統監視制御装置２−１では、図示しない系統監視盤に表示したり、専用端末装置３−１、３−２に設けられている図示しない出力装置例えば、ＣＲＴや液晶パネルで表示する。  
このようにして、電力系統監視制御装置２−１の動作履歴参照機能部２０２は、遠方監視制御装置６−１の動作履歴データを読み出すことができる。
【００３３】
（iii）遠方監視制御装置６−１を自動制御するモード。  
このモードの場合は、端末装置３−１から自動制御モード要求と、自動制御設定要求とを電力系統監視制御装置２−１に設定する。すると、電力系統監視制御装置２−１は、自動制御設定機能部２０４から広域ネットワーク４を通して遠方監視制御装置６−１に自動制御モード要求と、自動制御の系統制御手順や自動制御に必要な設定値などの設定情報と、起動要求とを送信する。この結果、遠方監視制御装置６−１では、まず、モード選択機能部６０１によってモードの種別を検出して制御情報受信機能部６０４を選択し、次に、この制御情報受信機能部６０４で自動制御の系統制御手順や自動制御に必要な設定値などの設定情報と、起動要求とを受信する。
【００３４】
すると、制御情報受信機能部６０４は、受信した設定情報と自動制御要求とをテレコン制御機能部６１５へ渡し、テレコン制御機能部６１５が設定情報を設定データファイル６１６へ保存し、自動制御機能部６１７へ自動制御要求を通知する。この自動制御要求を受けた自動制御機能部６１７は、設定データファイル６１６の設定情報に従い、出力機能部６１８およびテレコン入出力機能部６１９を介して系統設備７の自動制御を行う。自動制御の結果は、逆ルートで電力系統監視制御装置２−１に向けて送信される。電力系統監視制御装置２−１では、図示しない系統監視盤に表示したり、専用端末装置３−１、３−２に設けられている図示しない出力装置例えば、ＣＲＴや液晶パネルで表示する。
【００３５】
このようにして、電力系統監視制御装置２−１の自動制御設定機能部２０３は、遠方監視制御装置６−１の制御情報受信機能部６０４とテレコン制御機能部６１５を介して、自動制御機能部６１７を起動し、遠方監視制御装置６−１にて系統設備７−１の自動制御を行うことができる。
【００３６】
（iv）手動制御要求モード。  
このモードの場合は、専用端末装置３−１から手動による監視制御モード要求を電力系統監視制御装置２−１に設定する。すると、電力系統監視制御装置２−１は、モード切替機能部２０１から広域ネットワーク４を通して遠方監視制御装置６−１に監視制御モード要求と、制御要求機能部２０５から広域ネットワーク４を通して系統設備７を指定した制御要求とを送信する。すると、遠方監視制御装置６−１では、まず、モード選択機能部６０１によってモード要求の種別を検出して制御機能部６０５を選択し、次に、制御機能部６０５に指定の系統設備に対する手動制御要求を入力する。制御機能部６０５は制御要求を出力機能部６１８、テレコン入出力部６１９を通して指定の系統機器に送ることにより、前記専用端末装置３−１で指定した要求通りに系統機器７を手動制御する。この手動制御の結果についても、他のモード時と同様、電力系統監視制御装置２−１に向けて送信される。電力系統監視制御装置２−１では、図示しない系統監視盤に表示したり、専用端末装置３−１、３−２に設けられている図示しない出力装置例えば、ＣＲＴや液晶パネルで表示する。
【００３７】
（効果）
以上述べた実施形態によれば、電力系統監視制御装置２から遠方監視制御装置６のデータベース６０８とソフトウェアファイル６１１のメンテナンスを行うことが可能となり、電力系統監視制御装置２と遠方監視制御装置６のソースを電力系統監視制御装置２にて一元管理することができる。また、直接、遠方監視制御装置６のある場所まで赴かなくても、電力系統監視制御装置２から遠方監視制御装置６の動作履歴を参照することができる。さらに、遠方監視制御装置６に系統制御手順や自動制御に必要な設定値などの設定情報を送信することにより、遠方監視制御装置６にてその設定された手順に従って系統設備７の自動制御を行うことが可能となり、電力系統監視制処理御装置２から制御を行うのに比べ、伝送時間及び伝送処理によるタイムラグの削減等が可能となる。さらにまた、電力系統監視制御装置２および遠方監視制御装置６にインターネット通信プロトコルを採用した送受信部を備え、この送受信部により広域ネットワーク４に接続するようにしたので、特定制御所の電力系統監視制御装置からだけではなく、それ以外の制御所の電力系統監視制御装置からも広域ネットワークに接続された遠方監視制御装置を介して系統設備の自動制御が可能となる。
【図面の簡単な説明】
【００３８】
【図１】本実施形態の全体概略構成図。
【図２】本実施形態の主要部の詳細構成図。
【図３】電力系統監視制御装置のソースファイルの一例を示す構成図であり、（ａ）はテキストの構成図、（ｂ）はプログラムの構成図。
【図４】遠方監視制御装置のソフトウェアの構成図であり、（ａ）はデータベースの構成図、（ｂ）はソフトウェアファイルの構成図。
【符号の説明】
【００３９】
１…制御所、２…電力系統監視制御装置、２１…送受信部、３…専用端末装置、４…広域ネットワーク、５…電気所、６…遠方監視制御装置、６１…送受信部、７…系統設備、２０１…モード切替機能部、２０２…メンテナンス機能部、２０３…動作履歴参照機能部、２０４…自動制御設定機能部、２０５…制御要求機能部、２０６…ソースファイル、６０１…モード切替選択機能部、６０２…メンテナンス送受信機能部、６０３…履歴データ送受信機能部、６０４…制御情報受信機能部、６０５…制御機能部、６０６…データベース展開機能部、６０７…データベース読込み機能部、６０８…データベース、６０９…ソフトウェア展開機能部、６１０…ソフト読込み機能部、６１１…ソフトウェア、６１２…履歴データ取り出し機能部、６１３…履歴データ、６１４…動作履歴保存機能部、６１５…テレコン制御機能部、６１６…設定データ、６１７…自動制御機能部、６１８…出力機能部、６１９…テレコン入出力機能部、６２０…専用線。
【図１】
2007166823.tif 000003
【図２】
2007166823.tif 000004
【図３】
2007166823.tif 000005
【図４】
2007166823.tif 000006